(57)【要約】      （修正有）【課題】ゴルフクラブヘッド、特にそのヘッド本体をもっと薄肉化させることを目的とする。【解決手段】その前面が開口１１２となっている中空形であって、開口近くの内壁に止め垣１１１が環状突出となるように形成してあるヘッド本体１１と、打球面として開口を遮蔽し且つ後ろから止め垣に止められるように開口内に取り付けられているフェース板１２とを備えているゴルフクラブヘッド１において、止め垣は、その前面が平面となっているが、その前後方向の厚さにより少なくとも２種類の区域に分かれているゴルフクラブヘッドを提供する。【選択図】図１
0003135323.tif 000002
【実用新案登録請求の範囲】
【請求項１】
その前面が開口となっている中空形であって、前記開口近くの内壁に止め垣が環状突出となるように形成してあるヘッド本体と、打球面として前記開口を遮蔽し且つ後ろから前記止め垣に止められるように前記開口内に取り付けられているフェース板とを備えているゴルフクラブヘッドにおいて、
前記止め垣は、その前面が平面となっているが、その前後方向の厚さにより少なくとも２種類の区域に分かれていることを特徴とするゴルフクラブヘッド。
【請求項２】
前記フェース板にスイートスポットがあり、
且つ、前記止め垣の厚さは、前記スイートスポットに対し、近い方がより厚くなり遠い方がより薄くなっていることを特徴とする請求項１に記載のゴルフクラブヘッド。
【請求項３】
前記フェース板は、左右の幅が上下の幅より大である上、前記スイートスポットがその中央近くにあり、
且つ、前記止め垣は、左右の肉薄部と上下の肉厚部との２種類の区域からなっていることを特徴とする請求項２に記載のゴルフクラブヘッド。
【考案の詳細な説明】
【技術分野】
【０００１】
本考案は、ゴルフクラブヘッドに関し、特に、そのヘッド本体に関するものである。
【背景技術】
【０００２】
最近では、打球の飛距離の向上を図るため、ゴルフクラブヘッドを大型化して打球時の慣性モーメントをより大きくしたゴルフクラブヘッドが主流となっており、これに伴いゴルフクラブヘッド全体の重量を押さえるため、薄肉化の傾向もなっているので、図４に示すように、一般のゴルフクラブヘッド２用本体２１は、その中空形の前面開口内にある、フェース板２２を後ろから止めるための止め垣２１１が、階段状となっているのではなく、内壁から突出した環状となり、止め垣２１１の後ろ側の内壁が階段状となっているものより遥かに薄くなっている。
【考案の開示】
【考案が解決しようとする課題】
【０００３】
このようなゴルフクラブヘッドは、確かに薄肉化傾向に合うが、考案者は、その更なる改善を図る。即ち、本考案は、ゴルフクラブヘッド、特にそのヘッド本体をもっと薄肉化させることを目的とする。
【課題を解決するための手段】
【０００４】
前記目的を達成するために、考案者は、研究に研究を重ねた結果、前記開口近くの内壁に、環状突出となるように形成してある止め垣は、フェース板を介して受ける打球時の反力がその環状に沿って全体一致のではなく、フェース板の打球位置に対し、近い方がより大きくて遠い方がより小さいのであることに見付かった。
【０００５】
この見付かりによると、止め垣は、その厚さが全体一致という必要がなく、原則としてフェース板の打球確率の多い位置に対し、近い方がより厚くなり遠い方がより薄くなっていれば良いと結論をする上、まず、その前面が開口となっている中空形であって、前記開口近くの内壁に止め垣が環状突出となるように形成してあるヘッド本体と、打球面として前記開口を遮蔽し且つ後ろから前記止め垣に止められるように前記開口内に取り付けられているフェース板とを備えているゴルフクラブヘッドにおいて、前記止め垣は、その前面が平面となっているが、その前後方向の厚さにより少なくとも２種類の区域に分かれているゴルフクラブヘッドを提供する。
【０００６】
そして、前記フェース板の打球確率の多い位置としてフェース板のスイートスポットを基準とすれば良い。
即ち、本考案は、前記フェース板にスイートスポットがあり、且つ、前記止め垣の厚さは、前記スイートスポットに対し、近い方がより厚くなり遠い方がより薄くなっているゴルフクラブヘッド及びそのヘッド本体をも提供する。
【０００７】
もっと簡単な実施形態であれば、前記フェース板は、左右の幅が上下の幅より大である上、前記スイートスポットがその中央近くにあり、且つ前記止め垣は、上下の肉厚部と左右の肉薄部との２種類の区域からなっているゴルフクラブヘッド及びそのヘッド本体が挙げられる。
【考案の効果】
【０００８】
前記構成によるゴルフクラブヘッドは、その開口近くの内壁に、打球面として前記開口を遮蔽するフェース板を後ろから止めるための止め垣が環状突出となる上、その厚さも、必要に応じて厚くなったり薄くなったりしたので、薄型化の傾向に乗り、従来より軽くなっている。
【考案を実施するための最良の形態】
【０００９】
以下、本考案に関するゴルフクラブヘッドの好適な実施形態を、図面を参照しながら説明する。なお、図中、似ている部分には、同一の参照符号を付する。
図１〜図３に示すように、本考案の実施形態のゴルフクラブヘッド１は、主としてヘッド本体１１と、フェース板１２とからなっている。ヘッド本体１１は、その前面が開口１１２となっている中空形であって、開口１１２近くの内壁に、フェース板１２を後ろから止めるための止め垣１１１が環状突出となるように形成してあるものであり、フェース板１２は、打球面として開口１１２を遮蔽するように、ヘッド本体１１の開口１１２内に開口縁と近いように取り付けられているものである。
【００１０】
図面を詳しくみると、ヘッド本体１１における止め垣１１１は、その前面が平面となっているが、その前後方向の厚さにより２種類の区域、即ち従来の止め垣と厚さが同じ位の上下の肉厚部１１１Ａ（１．７ｍｍ）と、上下の肉厚部１１１Ａより０．４ｍｍほど薄い左右の肉薄部１１１Ｂ（１．３ｍｍ）に分かれている。即ち、この実施例における止め垣１１１は、左右の肉薄部１１１Ｂにおいて、従来の止め垣より薄くなっている。
【００１１】
図面をもっと詳しくみると、この実施例における止め垣１１１の上下の肉厚部１１１Ａの上下の距離は左右の肉薄部１１１Ｂの左右の距離より小さくなっている。即ち、この実施例におけるフェース板１２は、左右の幅が上下の幅より大であるものである。
【００１２】
打球確率の多いスイートスポット１２０は、通常フェース板１２の中央近くにあるので、上下の肉厚部１１１Ａはスイートスポット１２０により近くて打球時の反力をより大きく受け、左右の肉薄部１１１Ｂはスイートスポット１２０により遠くて打球時の反力をより小さく受け、それぞれがその受ける反力の大小に対応する厚さがあり、厚過ぎもなく、薄過ぎもない。従って、この実施例における止め垣１１１の左右の肉薄部１１１Ｂが従来の止め垣より薄くなっているが、なんらの差し支えもない。
【００１３】
なお、この実施例における止め垣１１１は、その前後方向の厚さにより、上下の肉厚部１１１Ａと、左右の肉薄部１１１Ｂとの２の異なる区域に分かれているが、２以上、例えば３、４、５乃至連続的な無限に分かれていても良く、スイートスポット１２０に対し、近い方が厚くなり遠い方が薄くなっていれば良い。
【００１４】
本考案は、その精神及び必須の特徴事項から逸脱することなく他のやり方で実施することができる。従って、本明細書に記載した好ましい実施例は例示的なものであり、限定的なものではない。
【産業上の利用可能性】
【００１５】
叙上のように、本考案のゴルフクラブヘッドは、その開口近くの内壁に、打球面として前記開口を遮蔽するフェース板を後ろから止めるための止め垣が環状突出となる上、その厚さも、必要に応じて厚くなったり薄くなったりしたので、薄型化の傾向に乗り、従来より軽くなっている。従って、打球の飛距離の向上を図ることができる。
【図面の簡単な説明】
【００１６】
【図１】本考案に係るゴルフクラブヘッドの分解斜視図である。
【図２】図１のＩＩ−ＩＩ線に沿うゴルフクラブヘッドの部分断面図である。
【図３】図１のＩＩＩ−ＩＩＩ線に沿うゴルフクラブヘッドの部分断面図である。
【図４】従来例のゴルフクラブヘッドの部分断面図である。
【符号の説明】
【００１７】
１  ゴルフクラブヘッド
１１  ヘッド本体
１２  フェース板
１１１  止め垣
１１１Ａ  肉厚部
１１１Ｂ  肉薄部
１１２  開口
１２０  スイートスポット
【図１】
0003135323.tif 000003
【図２】
0003135323.tif 000004
【図３】
0003135323.tif 000005
【図４】
0003135323.tif 000006